(57)【要約】      （修正有）【課題】粗雑に扱ったり、重いものを掃いたりしても取付本体部が破損したりすることのないほうきを提供する。【解決手段】本考案に係るほうき１０は、基端が固定された多数の細長毛状体５を束ねた掃き部２と、ほうき１０を把持するための柄部３と、掃き部２の基端部を一端に固定することができるとともに他端に柄部３を固定することができる取付本体部１とを備える。柄部３は少なくとも取付本体部１との固定部分の端部に中空部を有し、取付本体部１の側面には中空部とを繋ぐための開口部８を有し、開口部８から中空部に嵌挿される補強材４を備えている。【選択図】図１
0003217858.tif 000002
【実用新案登録請求の範囲】
【請求項１】
基端が固定された多数の細長毛状体を束ねた掃き部と、ほうきを把持するための柄部と、該掃き部の基端部を一端に固定することができるとともに他端に該柄部を固定することができる取付本体部と、を備えるほうきであって、
前記柄部は少なくとも前記取付本体部との固定部分の端部に中空部を有し、
前記取付本体部の側面には前記中空部とを繋ぐための開口部を有し、
前記開口部から前記中空部に嵌挿される補強材を備えることを特徴とするほうき。
【請求項２】
前記取付本体部の外側面側の前記補強材の部分が、前記中空部に嵌挿された前記補強材の部分よりも大きくなるように形成されていることを特徴とする請求項１に記載のほうき。
【請求項３】
前記補強材はしなる材料であることを特徴とする請求項１又は２に記載のほうき。
【考案の詳細な説明】
【技術分野】
【０００１】
本考案は、ほうきに関するものである。
【背景技術】
【０００２】
室内や屋外などを清掃するために用いられているほうきは、竹や樹脂などの細長状の毛状体を束ね、その尖端部で床面などを掃く掃き部と、人がほうきを把持しやすいように柄部とを備え、掃き部と柄部とは、取付本体部により連結されている。取付本体部には掃き部取付部と柄挿入部とが備えられ、掃き部と柄部とが一体的に構成されている。しかし、清掃時に少し重いものでも掃くと、取付本体部が歪んだ際に細長毛状体が抜け出したり、取付本体部が破損してしまうことがあった。
【０００３】
これらの問題を解決するために特許文献1では、多数の細長状体を束ねてなる掃き部と、この掃き部の基端部を一端に固定することができ他端に柄を固定することができるパイプ状取付本体部とを備え、掃き部と柄を樹脂で固着させたほうきが開示されている。また、特許文献２では、基端が樹脂で固定された多数の細長状体を束ねてなる掃き部と、この掃き部の基端部を一端に固定することができ他端に柄を固定することができるパイプ状取付本体部とを備え、パイプ状取付本体部の一端側に、掃き部の基端部が内筒で螺合されたほうきが開示されている。
【先行技術文献】
【特許文献】
【０００４】
【特許文献１】特開２０００−３３３８９３号公報
【特許文献２】特開２００３−９３３０５号公報
【考案の概要】
【考案が解決しようとする課題】
【０００５】
特許文献１に記載のほうきは掃き部と柄を樹脂で固着させているため、強度面では強くなるが、逆に強固に固着させすぎるため取付本体部が破損したり、樹脂の経年劣化で強度が弱くなったりする問題があった。また、特許文献２に記載のほうきは掃き部の基端部が内筒螺合されているため、樹脂などの経年劣化などの問題はなくなるが、内筒が直接柄を支えることになるため、重いものを掃いたりした場合にはパイプ状取付本体部の内筒及び柄を支える部分に負荷が集中し、破損するおそれがあるという問題があった。
【０００６】
本考案は、上記問題点に鑑みてなされたものであり、ほうきを粗雑に扱ったり、重いものを掃いたりしても取付本体部が歪んで細長毛状体が抜け出したり、取付本体部が破損したりすることのない耐久性の高いほうきを提供することを目的とする。
【課題を解決するための手段】
【０００７】
即ち、本考案は以下の考案を含む。
[考案１]
基端が固定された多数の細長毛状体を束ねた掃き部と、ほうきを把持するための柄部と、掃き部の基端部を一端に固定することができるとともに他端に柄部を固定することができる取付本体部と、を備えるほうきであって、
柄部は少なくとも取付本体部との固定部分の端部に中空部を有し、
取付本体部の側面には中空部とを繋ぐための開口部を有し、
開口部から中空部に嵌挿される補強材を備えることを特徴とするほうき。
[考案２]
取付本体部の外側面側の補強材の部分が、中空部に嵌挿された補強材の部分よりも大きくなるように形成されていることを特徴とする考案１に記載のほうき。
[考案３]
補強材はしなる材料であることを特徴とする考案１又は２に記載のほうき。
【考案の効果】
【０００８】
本考案のほうきは、取付本体部を補強するための補強材を備えているため、重いものなどを掃いた際にも取付本体部が歪んだり、破損したりすることを防止することができる。また、補強材で取付本体部を補強しているため、樹脂などで強固に固着する必要もなく簡単な構成で耐久性に優れたほうきとなる。また、取付本体部の外側面側の補強材の部分を、中空部に嵌挿された補強材の部分よりも大きくなるように形成することで、さらに、取付本体部の補強効果を高めることができ、耐久性も高めることができる。さらに、補強材の素材としてしなる材料を使用することで、取付本体部に係る負荷を柄部及び補強材に効率的に分散させ、重いものなどを掃いた際にも取付本体部が歪んだり、破損したりすることをさらに防止することができる。
【図面の簡単な説明】
【０００９】
【図１】図１は本考案が適用された第一実施形態のほうきの正面図である。
【図２】図２は本考案が適用された第一実施形態のほうきの拡大斜視図である。
【図３】図３は本考案が適用された第一実施形態のほうきの柄部、取付本体部、及び掃き部の構造を示す図１のＸ-Ｘ’で切断した際の断面図である。
【図４】図４は本考案が適用された第二実施形態のほうきの正面図である。
【考案を実施するための形態】
【００１０】
以下、本考案に係るほうきに関する実施形態を図１〜図４に基づいて説明する。ただし、本考案は、以下に説明する実施形態や図面に記載される構成に限定されることを意図しない。
【００１１】
＜第一実施形態＞
図１は本考案が適用された第一実施形態のほうき１０の正面図である。図２は本考案が適用された第一実施形態のほうき１０の拡大斜視図である。図３は本考案が適用された第一実施形態のほうき１０の柄部３、取付本体部１、及び掃き部２の構造を示す図１のＸ-Ｘ’で切断した際の断面図である。以下本考案のほうき１０の詳細について説明する。
【００１２】
本考案のほうき１０は、図１及び図２に示すように、取付本体部１と、掃き部２と、柄部３と、補強材４と、で構成されている。ほうき１０の取付本体部１は、下部に下面が開口した掃き部取付部１ａを有すると共に、上部に筒状の柄挿入部１ｂを有している。取付本体部１の素材は、強度が確保され、耐久性に優れるものであればよく、例えば、塩化ビニル等の樹脂や、鉄などの金属板等を加工したものが挙げられる。
【００１３】
掃き部２は、細長毛状体５を束ねて形成されている。図３に示すように、掃き部２の基端部２ａは、掃き部取付部１ａに挿入されてステープル６等で固定される。掃き部２の他端はごみ等を掃くための端部となるため、扇状、あるいは直線状に切り揃えられている。これにより、床面等の掃除面を奇麗に掃くことが可能となる。掃き部２の細長毛状体５は、しなりが良く、耐久性に優れたものであればよく、例えば、ポリプロピレン樹脂等の熱可塑性樹脂や、竹、棕櫚、草等の植物素材等が挙げられる。
【００１４】
柄挿入部１ｂには、柄部３が挿入されて、釘やステープル等で固定される。取付本体部１の柄挿入部１ｂとの固定部分である柄部３の端部は、中が中空となっている中空部７を有している。柄部３は、後述する補強材４を嵌挿できるように柄挿入部１ｂとの固定部分の端部だけが中空構造に構成されていてもよいし、全てが中空構造であってもよい。柄部３は、ほうきを把持できるものであればいずれの素材でもよく、例えば、塩化ビニル等の樹脂や、竹等の植物素材が挙げられる。
【００１５】
取付本体部１には、柄部３の中空部７と取付本体部側面とを繋ぐための開口部８が形成されている。図３に示すように、開口部７に補強材４を嵌挿させて柄部３の中空部７と取付本体部１の側面とを補強材４で繋ぐことで、取付本体部１は補強材４により両側面から支持、補強されることになる。また、補強材４の一部は、柄部３の中空部７に嵌挿されているため、取付本体部１にかかる力が柄部３及び補強材４の何れにも分散する。これにより、掃き掃除の際に掃き部２にかかった負荷を取付本体部１だけで支持するのではなく、柄部３及び補強材４にも負荷を分散支持させることが可能となり、取付本体部１の変形による細長毛状体５の脱落や、取付本体部１の破損を防止することができる。
【００１６】
補強材４は、しなる材料であることが好ましい。これにより、重いごみ等を掃く際に掃き部２にかかる負荷を、補強材４のしなりにより効率よく分散させることができる。補強材４のしなる素材としては、例えば、カーボン繊維、セルロース繊維などが挙げられるが、好ましくは竹素材である。竹素材は、しなりが大きく、耐久性も高いことからも好ましい。補強材４は、柄部３及び取付本体部１に固着されていてもよいし、固着されていなくともよい。
＜第二実施形態＞
【００１７】
図４は本考案が適用された第二実施形態のほうき２０の正面図であり、第二実施形態のほうき２０と上記した第一実施形態のほうき１０とは、次の構成が異なっている。すなわち、第一実施形態の補強材４は、柄部３の中空部７に嵌挿された部分と取付本体部１の外側面に延出した部分の大きさはほぼ同じであるが、第二実施形態の補強材２４は、柄部３の中空部７に嵌挿された部分よりも取付本体部１の外側面に延出した部分が大きくなるように形成されている。これにより、取付本体部１に大きな負荷が加わっても、柄部３及び補強材２４に効果的に力を分散させることができ、取付本体部１の変形による細長毛状体５の脱落や、取付本体部１の破損を防止することができる。
【産業上の利用可能性】
【００１８】
本考案に係るほうきは、家庭だけでなく、工場など重量のあるごみが出るような場所でも利用することができる。
【符号の説明】
【００１９】
１              取付本体部
２              掃き部
３              柄部
４，２４        補強材
５              細長毛状体
７              中空部
１０，２０      ほうき
【図１】
0003217858.tif 000003
【図２】
0003217858.tif 000004
【図３】
0003217858.tif 000005
【図４】
0003217858.tif 000006